(57)【特許請求の範囲】
【請求項１】
箱状の居室部を備え、
前記居室部の床面近傍には、前記居室部の下方の空間に連通する出入口が形成され、
前記居室部は、当該出入口のみを介して前記下方の空間に連通し、
前記居室部の床面近傍から当該床面の高さ位置よりも下方を経由して当該居室部の屋上に至りかつ前記下方の空間には連通しない筒状の通路部を備えることを特徴とする避難シェルタ。
【請求項２】
ピロティ構造であることを特徴とする請求項１に記載の避難シェルタ。
【請求項３】
前記居室部の屋上から地盤面まで延びる傾斜部をさらに備えることを特徴とする請求項１または２に記載の避難シェルタ。
【発明の詳細な説明】
【技術分野】
【０００１】
本発明は、避難シェルタに関する。詳しくは、津波や洪水が発生した際に避難するための避難シェルタに関する。
【背景技術】
【０００２】
従来より、津波や洪水が発生すると、多数の人が巻き込まれて、被害が甚大となることが多い。そこで、津波警報や洪水警報が発令された際には、河川や海岸の付近の住民は、直ちに、山、高台、中層建築物などに避難する必要がある。
【０００３】
しかしながら、山や高台などの自然の地形は、河川や海岸から離れていることが多い。一方、中層建築物は、河川や海岸の近くに建設できるが、施工費用がかかるため、数多く建設することはできない。そのため、住民の避難距離は依然として長くなる。
【０００４】
そこで、地盤に固定された基台と、水に浮遊可能な浮上部と、この浮上部と基台とを連結するリンクと、を備える浮上避難設備が提案されている（特許文献１参照）。
この浮上避難設備によれば、浮上部を地面に設置しておくだけで、この浮上部が津波や洪水の発生時には水位に応じて水に浮き、水が引いたら再び地面に戻るため、安全に避難できる。
また、建設コストを低く抑えることができるため、数多く建設することにより、住民の避難距離を短くできる。
【先行技術文献】
【特許文献】
【０００５】
【特許文献１】特開２００７−１７７６００号公報
【発明の概要】
【発明が解決しようとする課題】
【０００６】
しかしながら、津波や洪水により激しい水流が発生した場合、土砂、岩石、家屋などが押し流されて浮上避難設備のリンクに衝突し、リンクが破損してしまうおそれがある。
また、浮上部を水に浮かせるために、浮上部の軽量化を図る必要があるが、この軽量化に伴って剛性が低下するため、水流により浮上部が破損するおそれもある。
【０００７】
本発明は、低コストで、津波や洪水の激しい水流に耐えることができる避難シェルタを提供することを目的とする。
【課題を解決するための手段】
【０００８】
請求項１に記載の避難シェルタは、箱状の居室部を備え、前記居室部の床面近傍には、前記居室部の下方の空間に連通する出入口が形成され、前記居室部は、当該出入口のみを介して前記下方の空間に連通することを特徴とする。
【０００９】
この発明によれば、避難時には、避難者は出入口を通って居室部の内部に入る。その後、津波や洪水により水位が上昇しても、居室部の内部は空気溜まりとなるため、水が居室部に浸入しないから、安全に避難できる。
また、避難シェルタとして箱状の居室部を構築すればよいので、従来のように中層建築物を構築する場合に比べて、建設コストを低減できる。よって、避難シェルタを多数建設して、避難者の避難距離を短くできる。
また、従来のように避難シェルタを水に浮かせる必要がないため、避難シェルタを鉄骨造や鉄筋コンクリート造として地盤面に構築できるから、避難シェルタ自体の剛性を向上でき、津波や洪水の激しい水流に耐えることができる。
また、出入口を開放状態としておけるので、緊急時に避難者が円滑に居室部に入ることができる。
【００１０】
請求項２に記載の避難シェルタは、ピロティ構造であることを特徴とする。
【００１１】
この発明によれば、ピロティ構造とした。よって、ピロティ部を通って出入口にアクセスしやすくなるので、避難者は出入口から容易に居室部に入ることができる。
【００１２】
また、請求項１に記載の避難シェルタは、前記居室部の床面近傍から当該床面の高さ位置よりも下方を経由して当該居室部の屋上に至りかつ前記下方の空間には連通しない筒状の通路部をさらに備えることを特徴とする。
【００１３】
津波や洪水の発生後、しばらくは水位が低下せず、出入口が水没している場合がある。この場合、避難者は居室部内から出入口を通って外部に出ることができない。
そこで、この発明によれば、通路部を設けたので、居室部内の避難者は、通路部を通って屋上に出ることができる。よって、屋上から救助を呼んだり、あるいは、通路部を通して新鮮な空気を確保したりできる。
また、屋上まで水没しそうな場合、屋上にいる避難者は、通路部を通って居室部に入ることができる。
【００１４】
また、通路部を居室部の床面から延ばしたので、居室部内の空気が通路部から抜けてしまうのを防いで、居室部の内部に確実に空気を溜めることができる。
【００１５】
請求項３に記載の避難シェルタは、前記居室部の屋上から地盤面まで延びる傾斜部をさらに備えることを特徴とする。
【００１６】
ここで、傾斜部としては、スロープや階段が挙げられる。
この発明によれば、傾斜部を設けた。避難者が避難シェルタに到着した際に、出入口が既に閉まっている場合や、水位がそれほど上昇しないと予想される場合、この避難者は、傾斜部を上って屋上に避難することもできる。
また、津波や洪水の発生後で水位がなかなか低下しない場合、救助ボートを傾斜部の下端側に着けておき、避難者は居室部の屋上から傾斜部を通って救助ボートに乗り込むことができる。
【００１７】
また、前記居室部の内部には、箱状の小部屋が設けられ、当該小部屋の床面には、前記居室部の内部に連通する出入口が設けられることが好ましい。
【００１８】
この発明によれば、居室部の内部にさらに小部屋を設けたので、仮に居室部内に水が侵入しても、この小部屋の内部が空気溜まりとなるので、避難シェルタの安全性がさらに高まる。
【００１９】
また、前記ピロティ部は、前記複数本の柱のみで構成されることが好ましい。
【００２０】
この発明によれば、ピロティ部を柱のみで構成したので、津波や洪水が避難シェルタを襲っても、ピロティ部を水の流れが通り抜けることになる。よって、津波や洪水のエネルギを極力受け止めないので、避難シェルタが損壊するのを防止できる。
【００２１】
また、前記居室部の下面には、前記出入口を開閉可能な蓋部が設けられ、当該蓋部は、開いた状態では、前記居室部の床面から前記ピロティ部の床レベルまで延びていることが好ましい。
【００２２】
この発明によれば、蓋部が開いた状態では、この蓋部は居室部の床面からピロティ部の床レベルまで延びている。よって、避難者がこの蓋部を渡ってピロティ部から居室部に円滑に移動できる。
また、蓋部を閉じることにより、居室部内に水が浸入するのを確実に防止できる。
【００２３】
また、前記蓋部には、当該蓋部を水に浮かせるためのフロートが設けられることが好ましい。
【００２４】
この発明によれば、蓋部にフロートを設けたので、水位が上昇するに従って蓋部も上昇し、自動的に出入口を閉鎖できる。
【発明の効果】
【００２５】
本発明によれば、避難時には、避難者は傾斜部を上って居室部の屋上に上がるか、出入口を通って居室部の内部に入る。その後、津波や洪水により水位が上昇しても、居室部の内部は空気溜まりとなるため、水が居室部に浸入しないから、安全に避難できる。また、避難シェルタとして箱状の居室部を構築すればよいので、従来のように中層建築物を構築する場合に比べて、建設コストを低減できる。よって、避難シェルタを多数建設して、避難者の避難距離を短くできる。また、従来のように避難シェルタを水に浮かせる必要がないため、避難シェルタを鉄骨造や鉄筋コンクリート造として地盤面に構築できるから、避難シェルタ自体の剛性を向上でき、津波や洪水の激しい水流に耐えることができる。また、出入口を開放状態としておけるので、緊急時に避難者が円滑に居室部に入ることができる。
【図面の簡単な説明】
【００２６】
【図１】本発明の第１実施形態に係る避難シェルタの断面図である。
【図２】前記実施形態に係る避難シェルタの斜視図である。
【図３】本発明の第２実施形態に係る避難シェルタの断面図である。
【発明を実施するための形態】
【００２７】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る避難シェルタ１の断面図である。図２は、避難シェルタ１の斜視図である。
【００２８】
避難シェルタ１は、鉄筋コンクリート造のピロティ構造であり、４本の柱１１のみからなるピロティ部１０と、ピロティ部１０の上に設けられて４本の柱１１に支持された箱状の居室部２０と、居室部２０の床面２１からこの居室部２０の屋上２２に至る通路部３０と、居室部２０の屋上２２からピロティ部１０の床レベルつまり地盤面１２まで延びる傾斜部としての屋外階段４０と、を備える。
【００２９】
ピロティ部１０の４本の柱１１は、地盤面１２上に設けられている。なお、地盤内には図示しない基礎が設けられ、これら柱１１は、この基礎から上方に延びている。
【００３０】
居室部２０の屋上２２の周囲には、手摺２６が設けられている。
居室部２０は、直方体形状であり、この居室部２０の床面２１には、下方の空間であるピロティ部１０に連通する出入口２３が形成されている。
この居室部２０は、出入口２３および通路部３０に通じる開口以外には、窓や開口が設けられておらず、密閉された構造である。また、この居室部２０は、出入口２３のみを介して下方の空間であるピロティ部１０に連通している。
【００３１】
居室部２０の下面つまりピロティ部１０の天井面には、出入口２３からピロティ部１０の地盤面１２まで延びる階段２４と、ピロティ部１０の半分の高さまで階段２４を覆う階段天井部２５と、が設けられている。
【００３２】
居室部２０の内部の上部には、箱状の小部屋５０が設けられており、この小部屋５０の床面５１には、居室部２０の内部に連通する出入口５２が設けられている。
この小部屋５０は、出入口５２以外には、窓や開口が設けられておらず、密閉された構造である。
居室部２０の内部には、出入口５２から小部屋５０の床面５１まで延びる階段５３が設けられている。
【００３３】
また、居室部２０の天井面つまり屋上２２の床面の一部には、外部の光を居室部２０の内部に採り入れるためのガラスブロックが埋め込まれている。これにより、津波や洪水により停電した場合でも、採光を確保できる。また、居室部２０の天井面にガラスブロックを設けることにより、津波や洪水による水流が居室部２０の側面に当たっても、この水流でガラスブロックが破損するのを防止できる。
【００３４】
通路部３０は、人が通れる程度の大きさの筒状であり、居室部２０の床面から下方に延びて地盤面１２に至り、その後、この地盤面１２から上方に延びて居室部２０の屋上２２に至る。すなわち、この通路部３０は、少なくとも居室部２０の床面の高さ位置よりも下方、具体的には、出入口２３付近の水位Ｂよりも下方を経由している。これにより、水位が通路部３０の頂部の高さよりも高くなって通路部３０が水没しても、居室部２０が空気溜まりとなる状態を維持して、居室部２０に水が浸入しないようにできる。
この通路部３０の内部には、人が昇降するための昇降タラップ３１が設けられている。
【００３５】
屋外階段４０は、居室部２０の屋上２２から地盤面１２まで延びている。この屋外階段４０には、手摺４１が設けられている。
【００３６】
以上の避難シェルタ１を使用する場合、避難者は、屋外階段４０を上って居室部２０の屋上２２に上がるか、階段２４を通って居室部２０内に避難する。その後、津波や洪水で水位が図１中破線Ａの高さまで上昇しても、居室部２０内に空気が溜まっているので、出入口２３付近の水位は、階段天井部２５の下端つまり図１中破線Ｂの高さより上には到達しない。
その後、避難者は、通路部３０を通って居室部２０の屋上２２に移動し、救助を要請する。救助ボートが来た場合には、この救助ボートを屋外階段４０の下端側に着けておき、避難者は、屋外階段４０を下りて救助ボートに乗り込む。
【００３７】
また、避難者が避難シェルタに到着した際に、出入口２３が既に閉まっている場合や、水位がそれほど上昇しないと予想される場合には、この避難者は、屋外階段４０を上って屋上２２に避難することもできる。その後、屋上２２まで水没しそうになった場合、通路部３０を通って居室部２０に入ることもできる。
【００３８】
本実施形態によれば、以下のような効果がある。
（１）津波や洪水により水位が上昇しても、居室部２０の内部は空気溜まりとなるため、水が居室部２０内に浸入しないから、安全に避難できる。
また、避難シェルタ１としてピロティ部１０および居室部２０のみを構築すればよいので、従来のように中層建築物を構築する場合に比べて、建設コストを低減できる。よって、避難シェルタ１を多数建設して、避難者の避難距離を短くできる。
また、従来のように避難シェルタを水に浮かせる必要がないため、避難シェルタ１を鉄筋コンクリート造として地盤面１２に構築できるから、避難シェルタ１自体の剛性を向上でき、津波や洪水の激しい水流に耐えることができる。
また、出入口２３を開放状態としておけるので、緊急時に避難者が円滑に居室部２０に入ることができる。
【００３９】
（２）居室部２０の下にピロティ部１０を設け、このピロティ部１０の４本の柱１１で居室部２０を支持した。よって、ピロティ部１０を通って出入口２３にアクセスしやすくなるので、避難者は出入口２３から容易に居室部２０に入ることができる。
【００４０】
（３）通路部３０を設けたので、居室部２０内の避難者は、通路部３０を通って屋上２２に出ることができる。よって、屋上２２から救助を呼んだり、あるいは、通路部３０を通して新鮮な空気を確保したりできる。
また、通路部３０を居室部２０の床面２１から延ばしたので、居室部２０内の空気が通路部３０から抜けてしまうのを防いで、居室部２０の内部に確実に空気を溜めることができる。
また、屋上２２にいる避難者は、この通路部３０を通って居室部２０に入ることができる。
水位がさらに上昇して通路部３０が水没した場合でも、居室部２０の内部は空気溜まりとなって、水が居室部２０内に侵入しないので、安全に避難できる。その後、水位が下がってくると、通路部３０内に溜まった水が居室部２０内に若干流入する可能性があるが、この場合でも、この流入した水は出入口２３を通して排水される。
【００４１】
（４）屋外階段４０を設けた。避難者が避難シェルタ１に到着した際に、出入口２３が既に水没してしまっている場合、この避難者は、屋外階段４０を上って屋上２２に避難できる。
また津波や洪水の発生後で水位がなかなか低下しない場合、救助ボートを傾斜部の下端側に着けておき、避難者は居室部の屋上から屋外階段４０を下りて救助ボートに乗り込むことができる。
【００４２】
（５）居室部２０の内部にさらに小部屋５０を設けたので、仮に居室部２０内に水が侵入しても、この小部屋５０の内部が空気溜まりとなるので、避難シェルタ１の安全性がさらに高まる。
【００４３】
（６）ピロティ部１０を柱１１のみで構成したので、津波や洪水が避難シェルタ１を襲っても、ピロティ部１０を水の流れが通り抜けることになる。よって、津波や洪水のエネルギを極力受け止めないので、避難シェルタ１が損壊するのを防止できる。
【００４４】
〔第２実施形態〕
図３は、本発明の第２実施形態に係る避難シェルタ１Ａの断面図である。
本実施形態では、階段２４の代わりに、蓋部６０が設けられている点が、第１実施形態と異なる。
すなわち、居室部２０の下面つまりピロティ部１０の天井面には、出入口２３を開閉可能な蓋部６０が設けられている。この蓋部６０は、開いた状態では、居室部２０の床面２１からピロティ部１０の地盤面１２に至る階段となっている。
蓋部６０には、この蓋部６０を水に浮かせるためのフロート６１が設けられている。
【００４５】
避難シェルタ１Ａでは、津波や洪水で水位が上昇すると、フロート６１により蓋部６０も上昇して図３中矢印方向に回転し、蓋部６０が出入口２３を閉鎖する。その後、水位が図１中破線Ａの高さまで上昇しても、居室部２０内に空気が溜まっているので、出入口２３付近の水位は、ピロティ部１０の天井面の高さより上には到達しない。
【００４６】
本実施形態によれば、上述の（１）〜（６）の効果に加えて、以下のような効果がある。
（７）蓋部６０が開いた状態では、この蓋部６０は居室部２０の床面２１からピロティ部１０の地盤面１２まで延びている。よって、緊急時に避難者が蓋部６０を渡って円滑に居室部に入ることができる。
また、蓋部６０を閉じることにより、居室部２０内に水が浸入するのを確実に防止できる。
【００４７】
（８）蓋部６０にフロート６１を設けたので、水位が上昇するに従って蓋部６０も上昇し、自動的に出入口２３を閉鎖できる。
【００４８】
なお、本発明は前記実施形態に限定されるものではなく、本発明の目的を達成できる範囲での変形、改良等は本発明に含まれるものである。
例えば、上述の各実施形態では、居室部２０の屋上２２から地盤面１２まで延びる屋外階段４０を設けたが、これに限らず、屋外階段４０の代わりに、居室部の屋上から地盤面まで延びるスロープを設けてもよい。
【符号の説明】
【００４９】
１、１Ａ…避難シェルタ
１０…ピロティ部
１１…柱
１２…地盤面
２０…居室部
２１…床面
２２…屋上
２３…出入口
２４…階段
２５…階段天井部
２６…手摺
３０…通路部
３１…昇降タラップ
４０…屋外階段（傾斜部）
４１…手摺
５０…小部屋
５１…床面
５２…出入口
５３…階段
６０…蓋部
６１…フロート
【図１】
0005713863.tif 000002
【図２】
0005713863.tif 000003
【図３】
0005713863.tif 000004